(57)【要約】【課題】少ない光源で広い面積を発光させることができるとともに、奥行き方向に狭いスペースでも効率よく光を拡散させることができ、特に、光源の照射方向に平行な方向だけでなく、直角方向にも光を拡散させることにより、少ない光源で広い面積を発光させることができる電飾装置を提供する。【解決手段】電飾装置５０は、光源としてのＬＥＤ８２と、下面にローレットが設けられ、ＬＥＤ８２からの光を左右方向に拡散させるレンズ８４と、反射面に縦方向に溝部が設けられ、レンズ８４により拡散された光をさらに左右方向に拡散しつつ反射する反射部６８とを有し、反射部６８の反射面は、光源の照射範囲の中心線に対して０度より大きく４５度未満の角度をなしている。【選択図】図５
2007330521.tif 000002
【特許請求の範囲】
【請求項１】
遊技機に用いる電飾装置であって、
発光面に平行な方向から照射するように設けられた光源と、
光源の照射方向の前面に設けられ、板状で透光性を有する部材の上面及び／又は下面に、直線的に伸びた溝部又は凸状部が複数略平行に設けられた拡散性透光部材と、
反射面が光源の照射範囲の中心線に対して０度より大きく４５度未満の角度をなすとともに、反射面に、光源に近い側の端部から光源に遠い側の端部に向けて直線状に伸びるように溝部又は凸状部が複数略平行に設けられている反射部材と、
を有し、
拡散性透光部材の溝部又は凸状部と、反射面の溝部又は凸状部とが、ともに、光源の照射範囲の中心線に平行な仮想の平面に対して平行な方向に設けられていることを特徴とする電飾装置。
【請求項２】
上記電飾装置の上記発光面に、レンズが設けられていることを特徴とする請求項１に記載の電飾装置。
【発明の詳細な説明】
【技術分野】
【０００１】
本発明は、電飾装置に関するものであり、特に、弾球遊技機等の遊技機に用いる電飾装置に関するものである。
【背景技術】
【０００２】
従来より、弾球遊技機等の遊技機において、光源からの光によりレンズを発光させる場合に、レンズの発光面積を大きくするには、レンズと光源（例えば、ＬＥＤ）との間の距離を長くする方法があるが、弾球遊技機における奥行方向のスペースが取れない領域（例えば、球皿の前面等）を発光させる場合には、球皿前面の奥行き方向にスペースを取ることができないため、レンズの奥側に設ける光源の数を多くする方法が採られていた。
【０００３】
また、出願人は、先行技術文献として、特許文献１に示す文献を知得している。すなわち、特許文献１に示す呼出ランプにおいては、平板状の透明性を有する導光板の側面に光源を配置し、導光板の裏面側に反射面を多数形成し、導光板の表面側に拡散板を配置したものである。
【特許文献１】特開２００３−１８１１１５号公報
【発明の開示】
【発明が解決しようとする課題】
【０００４】
しかし、上記のように、レンズの奥側に設ける光源の数を多くする場合には、コストアップとなってしまい、また、レンズと光源との間の距離が短いと、光源からの光がレンズによって拡散せず、点での発光となり、効果的に発光させることができない。
【０００５】
また、特許文献１に記載の方法では、光源からの光の照射方向と略平行な方向に光を拡散させるには有効であるが、例えば、弾球遊技機の球皿に設けられたレンズを発光させる場合には、光源の照射方向に対して直角方向に拡散させる必要があることから、特許文献１の方法では、光源の照射方向に対して直角方向に光を拡散させるには適していない。つまり、弾球遊技機の球皿に設けられたレンズを発光させる場合には、光源の光の照射方向が上向きであり、光源からの光は左右方向に拡散させる必要があるのである。
【０００６】
そこで、本発明は、少ない光源で広い面積を発光させることができるとともに、奥行き方向に狭いスペースでも効率よく光を拡散させることができ、特に、光源の照射方向に平行な方向だけでなく、直角方向にも光を拡散させることにより、少ない光源で広い面積を発光させることができる電飾装置を提供することを目的とするものである。
【課題を解決するための手段】
【０００７】
本発明は上記問題点を解決するために創作されたものであって、第１には、遊技機に用いる電飾装置であって、発光面に平行な方向から照射するように設けられた光源と、光源の照射方向の前面に設けられ、板状で透光性を有する部材の上面及び／又は下面に、直線的に伸びた溝部又は凸状部が複数略平行に設けられた拡散性透光部材と、反射面が光源の照射範囲の中心線に対して０度より大きく４５度未満の角度をなすとともに、反射面に、光源に近い側の端部から光源に遠い側の端部に向けて直線状に伸びるように溝部又は凸状部が複数略平行に設けられている反射部材と、を有し、拡散性透光部材の溝部又は凸状部と、反射面の溝部又は凸状部とが、ともに、光源の照射範囲の中心線に平行な仮想の平面に対して平行な方向に設けられていることを特徴とする。
【０００８】
この第１の構成の電飾装置においては、光源からの光は、拡散性透光部材により拡散されて透過し、その後、反射部材により同じ方向に拡散されて反射される。本構成の電飾装置は、光源と拡散性透光部材と反射部材とを有する構成であり、特に、光源からの光を反射部材により反射させる構造であるので、光源からの光を上方又は下方又は側方から照射することにより、奥行方向に大きなスペースを必要とせず、光源からの光路の長さも長く確保することができ、奥行き方向に狭いスペースでも効率よく光を拡散させることができる。また、拡散性透光部材と反射部材とによって、ともに同じ方向に光を拡散させることから、ＬＥＤのような指向性の高い光であっても十分光を拡散させることができ、光源の照射方向に対して直角方向に光を拡散させることができる。また、反射部材の反射面が、光源の照射範囲の中心線に対して４５度未満の角度をなすので、光源からの光が光源の照射方向に対して浅い角度で反射面に照射されるので、光源の照射方向に広い面積を発光させることができる。よって、光源の照射方向に直角な方向及び平行な方向に光を拡散させることができ、少ない光源で広い面積を発光させることができる。
【０００９】
また、第２には、上記第１の構成において、上記電飾装置の上記発光面に、レンズが設けられていることを特徴とする。よって、発光面を遊技者側に設けることにより、拡散された光を遊技者に向けて効果的に集光させることができる。
【００１０】
また、第３の構成として以下の構成としてもよい。すなわち、上記第１又は第２の構成において、反射部材の反射面が、側面視において、凹状に形成されていることを特徴とする。これにより、反射した光を上下方向に集光させることができるので、遊技者の顔の方向に向けて集光させることにより、遊技者に対して光を見やすくすることができる。
【００１１】
また、第４の構成として以下の構成としてもよい。すなわち、上記第１又は第２又は第３の構成において、反射部材の反射面が、上面視において、凹状に形成されていることを特徴とする。これにより、反射部材の反射面に上記溝部又は凸状部が設けられていても、反射面の両端に陰が生じるのを防止することができる。
【００１２】
また、第５の構成として以下の構成としてもよい。すなわち、上記第１又は第２又は第３又は第４の構成において、上記拡散性透光部材が、２つの平板状の部材の両端を山型に接続した形状を呈していることを特徴とする。拡散性透光部材をこのような形状にすることにより、光の拡散をより効率的に行うことができる。
【発明の効果】
【００１３】
本発明に基づく電飾装置によれば、光源と拡散性透光部材と反射部材とを有する構成であり、特に、光源からの光を反射部材により反射させる構造であるので、光源からの光を上方又は下方又は側方から照射することにより、奥行方向に大きなスペースを必要とせず、光源からの光路の長さも長く確保することができ、奥行き方向に狭いスペースでも効率よく光を拡散させることができる。また、拡散性透光部材と反射部材とによって、ともに同じ方向に光を拡散させることから、ＬＥＤのような指向性の高い光であっても十分光を拡散させることができ、光源の照射方向に対して直角方向に光を拡散させることができる。また、反射部材の反射面が、光源の照射範囲の中心線に対して４５度未満の角度をなすので、光源からの光が光源の照射方向に対して浅い角度で反射面に照射されるので、光源の照射方向に広い面積を発光させることができる。これにより、光源の照射方向に直角な方向及び平行な方向に光を拡散させることができ、少ない光源で広い面積を発光させることができる。
【発明を実施するための最良の形態】
【００１４】
本発明においては、奥行き方向に狭いスペースでも効率よく光を拡散させることができ、特に、光源の照射方向に対して直角方向に光を拡散させる場合に適した遊技機用の電飾装置を提供するという目的を以下のようにして実現した。
【００１５】
本発明に基づく弾球遊技機（遊技機）１は、図１〜図６に示されるように構成され、外枠１０と、本体枠２０と、遊技盤１００とを有している。
【００１６】
外枠１０は、略直方体形状の枠状を呈し、板状部材を略直方体形状に枠組みして形成されている。
【００１７】
また、本体枠２０は、外枠１０に対して回動自在に枢支されている。この本体枠２０は、枠本体２２と、ガラス枠２４と、発射ハンドル２６と、下皿２８と、上皿３０とを有している。
【００１８】
枠本体２２は、遊技盤１００や裏機構盤（図示せず）を設けることができるように枠状に形成されている。また、ガラス枠２４は、枠本体２２に対して開閉するように構成されている。
【００１９】
また、上皿３０は、皿本体部３２と、装飾部３６と、電飾装置５０とで構成され、本体枠２２の正面側に設けられている。この皿本体部３２は、遊技球を収容可能な収容部３４を形成するとともに、その正面側に装飾部３６が設けられ、この装飾部３６の表面側には、皿本体部３２の前面側の空間を利用して電飾装置５０を設けるための凹部が形成されている。
【００２０】
また、電飾装置５０は、電飾装置本体５２と、カバー部９０とを有している。ここで、電飾装置本体５２は、光案内部６０と、ＬＥＤ基板８０と、レンズ（拡散性透光部材）８４と、を有している。
【００２１】
ここで、光案内部６０は、ＬＥＤ基板８０のＬＥＤ８２から照射され、レンズ８４により拡散された光をカバー部９０のレンズ９４に案内する部材であり、反射部６８を有し、反射部６８の両側には、内側側面部７２を有している。
【００２２】
反射部６８の反射面は、正面側斜め下方に傾斜して設けられており、下方からのＬＥＤ８２の光を正面側に反射するように構成されている。
【００２３】
なお、下方からのＬＥＤ８２の光を水平方向よりも斜め上方に向けて反射させることが好ましいことから、反射部６８の反射面と、光の光軸Ｋの方向（すなわち、光の照射範囲Ｈにおける中心線（図６参照）、実施例においては鉛直方向）とがなす角度αは、４５度未満となっている。ここで、ＬＥＤ８２からの光を斜め上方に反射させるのは、遊技者が遊技中における顔位置は上皿３０に対して斜め上方にあることから、遊技者により反射した光を視認しやすくするためである。
【００２４】
また、反射部６８の反射面は、側面視においては、ＬＥＤ８２からの光が上下方向において集光するように、凹状（湾曲状）を呈している（図４、図５参照）。つまり、遊技中の遊技者の目になるべく反射光を視認しやすくするため、遊技中の遊技者の顔位置の方向に向けて反射光を集光させるのである。
【００２５】
また、反射部６８の反射面は、上面視において凹状（湾曲状）を呈している（図５参照）。このように反射部６８の反射面が上面視において凹状を呈しているのは、後述するように、反射部６８の反射面には、縦方向に複数の溝部が形成されているため、反射部６８が上面視において平板状を呈していると、ＬＥＤ８２からの光により反射部６８の左右の両側において陰が生じてしまうことから、この陰が生じないように、反射部６８の反射面が上面視において凹状を呈しているのである。
【００２６】
また、この反射部６８の反射面には、縦方向に複数の溝部６８ａ（図５参照）が形成されていて、これにより、ＬＥＤ８２からの光が左右方向に拡散するように形成されている。ここで、溝部６８ａは、正面視においては、縦方向に略直線状に形成されていて、複数の溝部６８ａは、互いに平行に設けられている。つまり、反射部６８の反射面には、ＬＥＤ８２に近い側の端部からＬＥＤ８２に遠い側の端部に向けて直線状に伸びる溝部６８ａが複数平行（略平行としてもよい）に設けられている。この溝部６８ａの断面形状は、Ｖ字状（三角形状としてもよい）に形成されている。なお、溝部６８ａの断面形状はＶ字状でなく、Ｕ字状（円弧状としてもよい）等他の形状でもよく、また、溝部ではなく凸状部を複数設けて光を左右方向に拡散するようにしてもよい。なお、この凸状部の断面形状は、Ｖ字状（三角形状）、Ｕ字状（円弧状）等任意である。
【００２７】
なお、反射部６８の反射面には、メッキ（具体的には、金属メッキ）が施され、これにより、光の反射率を高くしている。
【００２８】
次に、ＬＥＤ基板８０は、光案内部６０の下部に設けられていて、具体的には、各凹部６４の下方位置に水平方向に設けられている。また、ＬＥＤ基板８０の上面には、ＬＥＤ（光源）８２が設けられていて、ＬＥＤ８２は上方に光を照射するように上方に向けて設けられて、照射される光の光軸Ｋの方向は、鉛直方向を向いている。つまり、ＬＥＤ８２は、発光面であるカバー部９０の正面側の面に平行な方向から光を照射する。なお、ＬＥＤ８２をフルカラーＬＥＤとして、発光色を変化させた演出を行ってもよい。
【００２９】
また、レンズ８４は、光案内部６０の下部に設けられていて、ＬＥＤ基板８０よりも上方の位置に設けられている。つまり、レンズ８４は、ＬＥＤ８２の照射方向の前面に、水平方向に支持されて設けられている。
【００３０】
このレンズ８４は、透光性のある（透明が好ましい）部材（例えば、樹脂）により形成され、略平板状を呈し、ＬＥＤ８２からの光を左右方向に拡散させるように構成されている。具体的には、レンズ８４の下面には、奥行方向（Ｙ１−Ｙ２方向）に伸びた溝部（又は凸状部）が複数平行（略平行としてもよい）に設けられ、これらの複数の溝部（又は凸状部）によりローレットが形成され、これにより、光を左右方向に拡散するように構成されている。つまり、レンズ８４は、光の光軸Ｋの方向に対して略直角の方向（図５のＷ１における左右方向）に光を拡散する。
【００３１】
なお、レンズ８４に設けられた溝部（又は凸状部）と、反射部６８の反射面に設けられた溝部６８ａ（又は凸状部）とは、ともに、光軸Ｋ（つまり、光源の照射範囲の中心線）に平行な仮想の平面（具体的には、表裏両面がＸ１−Ｘ２方向を向いた平面）に対して平行な方向に設けられているといえる。
【００３２】
この溝部や凸状部の断面形状は、Ｖ字状（三角形状）、Ｕ字状（円弧状）等任意である。また、レンズ８４の上面は平面状に形成されている。なお、ローレットは、レンズ８４の下面ではなく、上面に設けてもよく、また、上面と下面の両方に設けてもよい。
【００３３】
次に、カバー部９０は、電飾装置本体５２をカバーする部材であり、フレーム部９２と、レンズ９４とを有し、フレーム部９２とレンズ９４とは一体的に形成されている。
【００３４】
ここで、フレーム部９２は、カバー部９０を電飾装置本体５２にカバーして取り付けた際に、電飾装置本体５２が丁度カバー部９０内に嵌装するように構成されている。また、レンズ９４は、透光性のある部材により形成され、凸レンズ状に形成されている。つまり、このレンズ９４により、電飾装置５０の発光面に凸状のレンズが設けられている。
【００３５】
上記構成の弾球遊技機１の使用状態について説明する。遊技者が弾球遊技機１により遊技中に所定の状態になった場合等に電飾装置５０を発光させる。すなわち、ＬＥＤ基板８０のＬＥＤ８２から光が上方に照射され、上方に照射された光は、レンズ８４の下面にローレットが形成されていることから、このローレットにより左右方向（Ｘ１−Ｘ２方向）に拡散する。
【００３６】
その後、レンズ８４により拡散されてレンズ８４を透過した光は、反射部６８により正面側に反射する。その際、反射部６８の反射面には、溝部６８ａが形成されているので、反射面に当たった光は左右方向に拡散して反射する。また、反射部６８の反射面は、水平方向に対して４５度より大きく傾斜しているので、反射部６８の反射面により反射した光は斜め上方の方向に向けられ、また、反射部６８は側面視において湾曲しているので、反射した光は集光された状態で斜め上方に向かう。
【００３７】
その後、光はレンズ９４を通って外部に至る。このレンズ９４は凸レンズ状に形成されているので、レンズ９４を透過する光は集光した状態で外部に照射される。
【００３８】
以上のように、ＬＥＤ８２からの光はレンズ８４により左右方向に拡散し、さらに、反射部６８によりさらに左右方向に拡散するので、ＬＥＤのような指向性の高い光であっても、左右方向の広い範囲に渡って光が拡散される。つまり、光源の照射方向（Ｚ１−Ｚ２方向）に対して直角方向（Ｘ１−Ｘ２方向）に光を大きく拡散させることができる。これにより、左右方向に広い面積が発光する。また、反射部６８の反射面は、光軸Ｋの方向に対して４５度未満の角度で傾斜しているので、高さ方向に光源からの光が浅い角度で反射面に照射され、高さ方向、つまり、光源の照射方向に平行な方向にも広い面積が発光する。よって、光源の照射方向に直角な方向及び平行な方向に光を拡散させることができ、少ない光源で広い面積を発光させることができる。
【００３９】
また、反射部６８により反射光は斜め上方を向き、また、反射部６８の反射面が側面視において凹状に形成されていることにより光が集光し（つまり、上下方向に集光する）、また、レンズ９４によっても集光するので、遊技者の顔の方向に光を集光でき、遊技者に対して光を見やすくすることができる。
【００４０】
また、反射部６８は上面視において湾曲状に形成され、反射面が上面視において凹状に形成されているので、反射面に複数の溝部（又は凸状部）が形成されていても、左右の両端部に陰が生じることがない。
【００４１】
また、上記構成の電飾装置５０においては、ＬＥＤ基板８０とレンズ８４が電飾装置５０の下側に設けられ、レンズ８４の上側に反射部６８が設けられた構造であるので、奥行方向に大きなスペースを必要とせずに、光源から外部に至るまでの光の光路を長く確保することができ、奥行き方向に狭いスペースでも効率よく光を拡散させることができる。特に、反射部６８の反射面は、光の光軸Ｋに対して４５度未満の角度で傾斜しているので、反射部６８が発光面に対して奥行方向に長さを必要とせず、これによっても電飾装置５０の奥行方向の長さを短くできる。これにより、遊技領域の拡大に伴い遊技盤における装飾面積が限定される中で、球皿（例えば、上皿）の表面等のように今まで電飾の収容が困難であった領域を発光させることができる。特に、後述する図８の構成とは異なり、光を左右方向に拡散するためのレンズ８４を反射部６８の下側に設けることにより、レンズ８４の存在が電飾装置５０の奥行方向の長さに影響することがないので、図８の構成に比べても電飾装置５０の奥行方向の長さを短くすることができる。
【００４２】
なお、上記の説明において、レンズ８４は、略平板状であるとして説明したが、図７に示すように、山型形状に折曲した板状の形状としてもよい。すなわち、図７に示すレンズ８４’は、平板状部８５−１と平板状部８５−２とを有し、平板状部８５−１の上面と平板状部８５−２の上面とは１８０度より大きい角度をなしていて、これにより、平板状部８５−１の上面と平板状部８５−２の上面とは互いに斜め外側を向いている。なお、平板状部８５−１の下面と平板状部８５−２の下面には、図５の場合と同様にローレットが設けられ、奥行方向（Ｙ１−Ｙ２方向）に伸びた溝部（又は凸状部）が複数略平行に設けられている。以上のように、レンズ８４’を山型形状に折曲した形状とすることにより、左右方向への光の拡散の度合いをより大きくすることができる。なお、図７の例では、ローレットはレンズ８４’の下面に形成されているが、ローレットをレンズ８４’の上面に形成してもよく、また、上面と下面の両方に設けてもよい。
【００４３】
なお、図５、図７においては、電飾装置５０の要部であるＬＥＤ基板８０と、レンズ８４と、反射部６８とが示され、図５、図７におけるＷ１はそれらの正面図であり、また、Ｗ３はそれらのＱ−Ｑ位置における側面図であり、Ｗ２は反射部６８のＲ−Ｒ位置における端面図を示している。
【００４４】
また、上記の説明では、光を左右方向に拡散するためのレンズ８４は、ＬＥＤ基板８０と反射部６８との間の位置にあり、光の光路としては、レンズ８４→反射部６８→レンズ９４の順であるとして説明したが、これには限られず、反射部６８の後に、左右方向に拡散するためのレンズを設けるようにしてもよい。
【００４５】
すなわち、上皿３０及び電飾装置５０の他の例を示す図８に示すように、反射部６８の下方位置には、ＬＥＤ基板８０のみが設けられ、光を左右方向に拡散するためのレンズ８６（拡散性透光部材）は、カバー部９０におけるレンズ９４の背面側に取り付けられている。
【００４６】
このレンズ８６は、透光性のある部材（例えば、樹脂）により形成され、略平板状を呈し、鉛直方向に設けられ、一方の面が正面側を向き、他方の面が背面側を向いて設けられている。このレンズ８６は、反射部６８により反射した光を左右方向に拡散させるように構成されている。具体的には、レンズ８６の背面に、ローレットが形成され、光を左右方向（Ｘ１−Ｘ２方向）に拡散するように構成されている。つまり、レンズ８６の背面には、上下方向（Ｚ１−Ｚ２方向）に伸びた溝部（又は凸状部）が複数略平行に設けられ、これらの複数の溝部（又は凸状部）によりローレットが形成され、これにより、光を左右方向に拡散するように構成されている。なお、ローレットは、レンズ８６の背面ではなく、正面に設けてもよい。
【００４７】
電飾装置５０を上記のように構成することにより、ＬＥＤ基板８０に設けられたＬＥＤ８２から発光した光は、反射部６８により正面側に反射する。その際、反射部６８の正面側には、溝部６８ａが形成されているので、反射部６８に当たった光は左右方向に拡散して反射する。また、反射部６８の反射面は、水平方向に対して４５度より大きく傾斜しているので、反射部６８により反射した光は斜め上方の方向に向けられ、また、反射部６８は側面視において湾曲しているので、反射した光は集光された状態で斜め上方に向かう。
【００４８】
その後、反射部６８で反射した光は、レンズ８６を透過するが、レンズ８６にはローレットが設けられているので、これにより、左右方向に拡散する。
【００４９】
その後、光はレンズ９４を通って外部に至る。このレンズ９４は凸レンズ状に形成されているので、レンズ９４を透過する光は集光した状態で外部に照射される。
【００５０】
以上のように、ＬＥＤ８２からの光は反射部６８により左右方向に拡散し、さらに、レンズ８６により左右方向に拡散するので、ＬＥＤのような指向性の高い光であっても、左右方向の広い範囲に渡って光が拡散される。さらに、反射部６８の反射面は、光軸Ｋの方向に対して４５度未満の角度で傾斜しているので、高さ方向に光源からの光が浅い角度で反射面に照射され、高さ方向にも広い面積が発光する。よって、光源の照射方向に直角な方向及び平行な方向に光を拡散させることができ、少ない光源で広い面積を発光させることができる。
【００５１】
また、反射部６８により反射光は斜め上方を向き、また、反射部６８の側面視における湾曲によって光が集光し（つまり、上下方向に集光する）、また、レンズ９４によっても集光するので、遊技者に対して光を見やすくすることができる。
【００５２】
また、上記構成の電飾装置５０においては、ＬＥＤ基板８０が電飾装置５０の下側に設けられ、ＬＥＤ基板８０の上側に反射部６８が設けられた構造であるので、奥行方向に大きなスペースを必要とせずに、光源から外部に至るまでの光の光路を長く確保することができ、奥行き方向に狭いスペースでも効率よく光を拡散させることができる。特に、反射部６８は、水平方向に対して４５度より大きい角度で傾斜しているので、反射部６８が奥行方向に長さを必要とせず、これによっても電飾装置５０の奥行方向の長さを短くできる。
【００５３】
なお、上記の説明においては、光源としてのＬＥＤ８２により上方に発光させ、反射面により正面側に反射させるものであるが、ＬＥＤを下方又は側方に向けて発光させ、反射面により正面側に反射させる構成としてもよい。この場合にも、正面側に光を反射させるために、少なくとも、光の光軸の方向と反射面とがなす角度は０度より大きく９０度未満とすることで同様の結果を得ることができ、また、高さ方向の発光面積を広げるには、４５度未満とするのが好ましい。
【００５４】
なお、上記の説明において、反射部６８は、側面視において湾曲状を呈していて、反射部６８の反射面が、側面視において凹状を呈しているとしたが、これには限られず、反射部６８は側面視において平板状を呈し、反射部６８の反射面が、側面視においては直線状となっているものとしてもよい。
【００５５】
また、上記の説明において、反射部６８は、上面視において湾曲状を呈していて、反射部６８の反射面が、上面視において凹状を呈しているとしたが、これには限られず、反射部６８は上面視において平板状を呈し、反射部６８の反射面が、上面視においてはほぼ直線状となっているものとしてもよい。
【００５６】
つまり、反射部６８が側面視においても上面視においても平板状を呈する場合には、反射部６８自体が平板状を呈し、反射面は平面状となるが、そのような構成としてもよい。
【００５７】
また、上記の説明において、ＬＥＤ８２の光の光軸Ｋは鉛直方向を向いているとして説明したが、これには限られず、鉛直方向に対して傾斜していてもよい。
【００５８】
なお、上記の説明においては、ＬＥＤ基板８０とレンズ８４（又はレンズ８４’）と反射部６８とからなる構成や、ＬＥＤ基板８０と反射部６８とレンズ８６とからなる構成を上皿３０に設けるものとして説明したが、これには限られず、弾球遊技機における他の箇所に設けるものとしてもよい。例えば、下皿２８や、ガラス枠２４等の枠体や、発射ハンドル２６や、遊技盤１００に設けられた盤面部品に設けてもよい。また、ＬＥＤ基板８０とレンズ８４（又はレンズ８４’）と反射部６８とからなる構成や、ＬＥＤ基板８０と反射部６８とレンズ８６とからなる構成を弾球遊技機以外の遊技機に設けるようにしてもよい。
【図面の簡単な説明】
【００５９】
【図１】本実施例の弾球遊技機の構成を示す正面図である。
【図２】本実施例の弾球遊技機に用いる上皿の構成を示す斜視図である。
【図３】本実施例の電飾装置の構成を示す分解斜視図である。
【図４】図２のＰ−Ｐ断面図である。
【図５】電飾装置の要部の構成を説明するための説明図である。
【図６】電飾装置の要部の構成を説明するための説明図である。
【図７】電飾装置の他の例の要部を示す説明図である。
【図８】図２のＰ−Ｐ断面図であり、上皿の他の例を示す断面図である。
【符号の説明】
【００６０】
１  弾球遊技機
１０  外枠
２０  本体枠
２２  枠本体
２４  ガラス枠
２６  発射ハンドル
２８  下皿
３０  上皿
５０  電飾装置
５２  電飾装置本体
６０  光案内部
９２  フレーム部
６４  凹部
６８  反射部
７２  内側側面部
８０  ＬＥＤ基板
８２  ＬＥＤ
８４、８４’、８６、９４  レンズ
９０  カバー部
【図１】
2007330521.tif 000003
【図２】
2007330521.tif 000004
【図３】
2007330521.tif 000005
【図４】
2007330521.tif 000006
【図５】
2007330521.tif 000007
【図６】
2007330521.tif 000008
【図７】
2007330521.tif 000009
【図８】
2007330521.tif 000010